【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
所定の方向に延伸配置された第１の走査信号線、第２の走査信号線及び第３の走査信号線と、
前記第１の走査信号線、前記第２の走査信号線及び前記第３の走査信号線に対して交差するように配置されたデータ信号線と、
ゲート電極が前記第１の走査信号線に接続されるとともに、ソース電極及びドレイン電極のうちの一方が前記データ信号線に接続された第１の薄膜トランジスタと、
前記第１の薄膜トランジスタにおける前記ソース電極及び前記ドレイン電極のうちの他方に接続され、前記データ信号線に供給される階調信号が前記第１の薄膜トランジスタを介して印加される第１の画素電極と、
ゲート電極が前記第２の走査信号線に接続されるとともに、ソース電極及びドレイン電極のうちの一方が前記第１の画素電極に接続された第２の薄膜トランジスタと、
前記第２の薄膜トランジスタにおける前記ソース電極及び前記ドレイン電極のうちの他方に接続され、前記データ信号線に供給される階調信号が前記第１の画素電極を介して印加される第２の画素電極と、
ゲート電極が前記第２の走査信号線に接続されるとともに、ソース電極及びドレイン電極のうちの一方が前記データ信号線に接続された第３の薄膜トランジスタと、
前記第３の薄膜トランジスタにおける前記ソース電極及び前記ドレイン電極のうちの他方に接続され、前記データ信号線に供給される階調信号が前記第３の薄膜トランジスタを介して印加される第３の画素電極と、
ゲート電極が前記第３の走査信号線に接続されるとともに、ソース電極及びドレイン電極のうちの一方が前記第３の画素電極に接続された第４の薄膜トランジスタと、
前記第４の薄膜トランジスタにおける前記ソース電極及び前記ドレイン電極のうちの他方に接続され、前記データ信号線に供給される階調信号が前記第３の画素電極を介して印加される第４の画素電極と、
前記第４の画素電極に保持させる階調信号、前記第２の画素電極に保持させる階調信号、前記第３の画素電極に保持させる階調信号、前記第１の画素電極に保持させる階調信号の順に、前記各階調信号を時分割的に前記データ信号線に供給する信号側駆動回路と、
前記信号側駆動回路により前記データ信号線に前記第４の画素電極に保持させる階調信号が供給されているときに前記第２の走査信号線に前記第２の薄膜トランジスタ及び前記第３の薄膜トランジスタをオン状態にする走査信号を供給するとともに前記第３の走査信号線に前記第４の薄膜トランジスタをオン状態にする走査信号を供給し、前記信号側駆動回路により前記データ信号線に前記第３の画素電極に保持させる階調信号が供給されているときに前記第２の走査信号線に前記第２の薄膜トランジスタ及び前記第３の薄膜トランジスタをオン状態にする走査信号を供給するとともに前記第３の走査信号線に前記第４の薄膜トランジスタをオフ状態にする走査信号を供給する走査側駆動回路と、
を備えたことを特徴とする表示装置。
【請求項２】
前記第２の画素電極と前記第３の画素電極が前記所定の方向に沿って隣接するように配置され、
前記第１の画素電極と前記第３の画素電極が前記所定の方向に対して直交する方向に沿って隣接するように配置され、
前記第２の画素電極と前記第４の画素電極が前記所定の方向に対して直交する方向に沿って隣接するように配置されていることを特徴とする請求項１に記載の表示装置。
【請求項３】
前記第１の画素電極に保持させる階調信号、前記第２の画素電極に保持させる階調信号、前記第３の画素電極に保持させる階調信号及び前記第４の画素電極に保持させる階調信号は、
所定のフレームにおいて液晶に印加される電圧の極性が、前記第１の画素電極に保持させる階調信号と前記第３の画素電極に保持させる階調信号との間で互いに等しくなるように、且つ、前記第２の画素電極に保持させる階調信号と前記第４の画素電極に保持させる階調信号との間で互いに等しくなるように、且つ、前記第２の画素電極に保持させる階調信号と前記第３の画素電極に保持させる階調信号との間で互いに異なるように、設定されていることを特徴とする請求項２に記載の表示装置。
【請求項４】
前記走査側駆動回路は、前記信号側駆動回路により前記データ信号線に前記第４の画素電極に保持させる階調信号が供給され且つ該走査側駆動回路が前記第２の走査信号線に前記第２の薄膜トランジスタ及び前記第３の薄膜トランジスタをオン状態にする走査信号を供給しているときに、前記第１の走査信号線に前記第１の薄膜トランジスタをオン状態にする走査信号を供給することを特徴とする請求項３に記載の表示装置。
【請求項５】
前記走査側駆動回路は、
前記信号側駆動回路により前記データ信号線に前記第２の画素電極に保持させる階調信号が供給されているときに、前記第１の走査信号線に前記第１の薄膜トランジスタをオン状態にする走査信号を供給するとともに前記第２の走査信号線に前記第２の薄膜トランジスタ及び前記第３の薄膜トランジスタをオン状態にする走査信号を供給し、
前記信号側駆動回路により前記データ信号線に前記第１の画素電極に保持させる階調信号が供給されているときに、前記第１の走査信号線に前記第１の薄膜トランジスタをオン状態にする走査信号を供給するとともに前記第２の走査信号線に前記第２の薄膜トランジスタ及び前記第３の薄膜トランジスタをオフ状態にする走査信号を供給することを特徴とする請求項４に記載の表示装置。
【請求項６】
前記信号側駆動回路により前記データ信号線に供給される前記第４の画素電極に保持させる階調信号を前記第２の画素電極に予備充電することを特徴とする請求項２から５の何れかに記載の表示装置。
【請求項７】
前記第１の画素電極に保持させる階調信号、前記第２の画素電極に保持させる階調信号、前記第３の画素電極に保持させる階調信号及び前記第４の画素電極に保持させる階調信号は、
所定のフレームにおいて液晶に印加される電圧の極性が、前記第１の画素電極に保持させる階調信号と前記第４の画素電極に保持させる階調信号との間で互いに等しくなるように、且つ、前記第２の画素電極に保持させる階調信号と前記第３の画素電極に保持させる階調信号との間で互いに等しくなるように、且つ、前記第１の画素電極に保持させる階調信号と前記第２の画素電極に保持させる階調信号との間で互いに異なるように、設定されていることを特徴とする請求項２に記載の表示装置。
【請求項８】
前記データ信号線と交差するように配置された第４の走査信号線と、
ゲート電極が前記第４の走査信号線に接続されるとともに、ソース電極及びドレイン電極のうちの一方が前記データ信号線に接続された第５の薄膜トランジスタと、
前記第５の薄膜トランジスタにおける前記ソース電極及び前記ドレイン電極のうちの他方に接続され、前記データ信号線に供給される階調信号が前記第５の薄膜トランジスタを介して印加される第５の画素電極と、
ゲート電極が前記第１の走査信号線に接続されるとともに、ソース電極及びドレイン電極のうちの一方が前記第５の画素電極に接続された第６の薄膜トランジスタと、
前記第６の薄膜トランジスタにおける前記ソース電極及び前記ドレイン電極のうちの他方に接続され、前記データ信号線に供給される階調信号が前記第５の画素電極を介して印加される第６の画素電極と、
ゲート電極が前記第３の走査信号線に接続されるとともに、ソース電極及びドレイン電極のうちの一方が前記データ信号線に接続された第７の薄膜トランジスタと、
前記第７の薄膜トランジスタにおける前記ソース電極及び前記ドレイン電極のうちの他方に接続され、前記データ信号線に供給される階調信号が前記第７の薄膜トランジスタを介して印加される第７の画素電極と、
をさらに備え、
前記信号側駆動回路は、前記第４の画素電極に保持させる階調信号、前記第７の画素電極に保持させる階調信号、前記第２の画素電極に保持させる階調信号、前記第３の画素電極に保持させる階調信号、前記第６の画素電極に保持させる階調信号、前記第１の画素電極に保持させる階調信号、前記第５の画素電極に保持させる階調信号の順に、前記各階調信号を時分割的に前記データ信号線に供給することを特徴とする請求項７に記載の表示装置。
【請求項９】
前記走査側駆動回路は、前記信号側駆動回路により前記データ信号線に前記第７の画素電極に保持させる階調信号が供給され且つ該走査側駆動回路が前記第３の走査信号線に前記第７の薄膜トランジスタ及び前記第４の薄膜トランジスタをオン状態にする走査信号を供給しているときに、前記第４の走査信号線に前記第５の薄膜トランジスタをオン状態にする走査信号を供給するとともに前記第１の走査信号線に前記第１の薄膜トランジスタ及び前記第６の薄膜トランジスタをオン状態にする走査信号を供給することを特徴とする請求項８に記載の表示装置。
【請求項１０】
前記信号側駆動回路により前記データ信号線に供給される前記第７の画素電極に保持させる階調信号を前記第６の画素電極に予備充電することを特徴とする請求項８または９に記載の表示装置。
【請求項１１】
前記第１の画素電極に保持させる階調信号、前記第２の画素電極に保持させる階調信号、前記第３の画素電極に保持させる階調信号及び前記第４の画素電極に保持させる階調信号は、
所定のフレームにおいて液晶に印加される電圧の極性が、前記第１の画素電極に保持させる階調信号と前記第２の画素電極に保持させる階調信号との間で互いに等しくなるように、且つ、前記第３の画素電極に保持させる階調信号と前記第４の画素電極に保持させる階調信号との間で互いに等しくなるように、且つ、前記第２の画素電極に保持させる階調信号と前記第３の画素電極に保持させる階調信号との間で互いに異なるように、設定されていることを特徴とする請求項２に記載の表示装置。
【請求項１２】
前記信号側駆動回路は、前記第２の画素電極に保持させる階調信号を前記データ信号線に供給する期間よりも以前の期間に、液晶に印加される電圧の極性が前記第２の画素電極に保持させる階調信号と等しくなるように設定されている予備充電信号を前記データ信号線に供給し、
前記走査側駆動回路は、前記信号側駆動回路により前記予備充電信号が前記データ信号線に供給されているときに、前記第１の走査信号線に前記第１の薄膜トランジスタをオン状態にする走査信号を供給することを特徴とする請求項２から１１の何れかに記載の表示装置。
【請求項１３】
前記走査側駆動回路は、前記信号側駆動回路により前記予備充電信号が前記データ信号線に供給されているときに、前記第２の走査信号線に前記第２の薄膜トランジスタをオン状態にする走査信号を供給することを特徴とする請求項１２に記載の表示装置。
【請求項１４】
前記走査側駆動回路は、前記信号側駆動回路により前記予備充電信号の前記データ信号線への供給が終了した後に、前記第２の走査信号線に前記第２の薄膜トランジスタをオン状態にする走査信号を供給することを特徴とする請求項１２に記載の表示装置。
【請求項１５】
所定の方向に延伸配置された第１の走査信号線及び第２の走査信号線と、
前記第１の走査信号線及び前記第２の走査信号線に対して交差するように配置されたデータ信号線と、
ゲート電極が前記第１の走査信号線に接続されるとともに、ソース電極及びドレイン電極のうちの一方が前記データ信号線に接続された第１の薄膜トランジスタと、
前記第１の薄膜トランジスタにおける前記ソース電極及び前記ドレイン電極のうちの他方に接続され、前記データ信号線に供給される階調信号が前記第１の薄膜トランジスタを介して印加される第１の画素電極と、
ゲート電極が前記第２の走査信号線に接続されるとともに、ソース電極及びドレイン電極のうちの一方が前記第１の画素電極に接続された第２の薄膜トランジスタと、
前記第２の薄膜トランジスタにおける前記ソース電極及び前記ドレイン電極のうちの他方に接続され、前記データ信号線に供給される階調信号が前記第１の画素電極を介して印加される第２の画素電極と、
前記第２の画素電極に保持させる階調信号、前記第１の画素電極に保持させる階調信号の順に、前記各階調信号を時分割的に前記データ信号線に供給する信号側駆動回路と、
前記信号側駆動回路により前記データ信号線に前記第２の画素電極に保持させる階調信号が供給されているときに前記第２の走査信号線に前記第２の薄膜トランジスタをオン状態にする走査信号を供給するとともに前記第１の走査信号線に前記第１の薄膜トランジスタをオン状態にする走査信号を供給し、前記信号側駆動回路により前記データ信号線に前記第１の画素電極に保持させる階調信号が供給されているときに前記第２の走査信号線に前記第２の薄膜トランジスタをオフ状態にする走査信号を供給するとともに前記第１の走査信号線に前記第１の薄膜トランジスタをオン状態にする走査信号を供給する走査側駆動回路と、
を備え、
前記信号側駆動回路は、前記第２の画素電極に保持させる階調信号を前記データ信号線に供給する期間よりも以前の期間に、液晶に印加される電圧の極性が前記第２の画素電極に保持させる階調信号と等しくなるように設定されている予備充電信号を前記データ信号線に供給し、
前記走査側駆動回路は、前記信号側駆動回路により前記予備充電信号が前記データ信号線に供給されているときに、前記第１の走査信号線に前記第１の薄膜トランジスタをオン状態にする走査信号を供給することを特徴とする表示装置。
【請求項１６】
所定の方向に延伸配置された第１の走査信号線、第２の走査信号線及び第３の走査信号線と、
前記第１の走査信号線、前記第２の走査信号線及び前記第３の走査信号線に対して交差するように配置されたデータ信号線と、
ゲート電極が前記第１の走査信号線に接続されるとともに、ソース電極及びドレイン電極のうちの一方が前記データ信号線に接続された第１の薄膜トランジスタと、
前記第１の薄膜トランジスタにおける前記ソース電極及び前記ドレイン電極のうちの他方に接続され、前記データ信号線に供給される階調信号が前記第１の薄膜トランジスタを介して印加される第１の画素電極と、
ゲート電極が前記第２の走査信号線に接続されるとともに、ソース電極及びドレイン電極のうちの一方が前記第１の画素電極に接続された第２の薄膜トランジスタと、
前記第２の薄膜トランジスタにおける前記ソース電極及び前記ドレイン電極のうちの他方に接続され、前記データ信号線に供給される階調信号が前記第１の画素電極を介して印加される第２の画素電極と、
ゲート電極が前記第２の走査信号線に接続されるとともに、ソース電極及びドレイン電極のうちの一方が前記データ信号線に接続された第３の薄膜トランジスタと、
前記第３の薄膜トランジスタにおける前記ソース電極及び前記ドレイン電極のうちの他方に接続され、前記データ信号線に供給される階調信号が前記第３の薄膜トランジスタを介して印加される第３の画素電極と、
ゲート電極が前記第３の走査信号線に接続されるとともに、ソース電極及びドレイン電極のうちの一方が前記第３の画素電極に接続された第４の薄膜トランジスタと、
前記第４の薄膜トランジスタにおける前記ソース電極及び前記ドレイン電極のうちの他方に接続され、前記データ信号線に供給される階調信号が前記第３の画素電極を介して印加される第４の画素電極と、
を備えた表示装置の駆動方法であって、
前記第４の画素電極に保持させる階調信号、前記第２の画素電極に保持させる階調信号、前記第３の画素電極に保持させる階調信号、前記第１の画素電極に保持させる階調信号の順に、前記各階調信号を時分割的に前記データ信号線に供給するデータ信号側駆動ステップと、
前記データ信号側駆動ステップにより前記データ信号線に前記第４の画素電極に保持させる階調信号が供給されているときに前記第２の走査信号線に前記第２の薄膜トランジスタ及び前記第３の薄膜トランジスタをオン状態にする走査信号を供給するとともに前記第３の走査信号線に前記第４の薄膜トランジスタをオン状態にする走査信号を供給し、前記データ信号側駆動ステップにより前記データ信号線に前記第３の画素電極に保持させる階調信号が供給されているときに前記第２の走査信号線に前記第２の薄膜トランジスタ及び前記第３の薄膜トランジスタをオン状態にする走査信号を供給するとともに前記第３の走査信号線に前記第４の薄膜トランジスタをオフ状態にする走査信号を供給する走査側駆動ステップと、
を有することを特徴とする表示装置の駆動方法。
【請求項１７】
所定の方向に延伸配置された第１の走査信号線及び第２の走査信号線と、
前記第１の走査信号線及び前記第２の走査信号線に対して交差するように配置されたデータ信号線と、
ゲート電極が前記第１の走査信号線に接続されるとともに、ソース電極及びドレイン電極のうちの一方が前記データ信号線に接続された第１の薄膜トランジスタと、
前記第１の薄膜トランジスタにおける前記ソース電極及び前記ドレイン電極のうちの他方に接続され、前記データ信号線に供給される階調信号が前記第１の薄膜トランジスタを介して印加される第１の画素電極と、
ゲート電極が前記第２の走査信号線に接続されるとともに、ソース電極及びドレイン電極のうちの一方が前記第１の画素電極に接続された第２の薄膜トランジスタと、
前記第２の薄膜トランジスタにおける前記ソース電極及び前記ドレイン電極のうちの他方に接続され、前記データ信号線に供給される階調信号が前記第１の画素電極を介して印加される第２の画素電極と、
を備えた表示装置の駆動方法であって、
前記第２の画素電極に保持させる階調信号、前記第１の画素電極に保持させる階調信号の順に、前記各階調信号を時分割的に前記データ信号線に供給するデータ信号側駆動ステップと、
前記データ信号側駆動ステップにより前記データ信号線に前記第２の画素電極に保持させる階調信号が供給されているときに前記第２の走査信号線に前記第２の薄膜トランジスタをオン状態にする走査信号を供給するとともに前記第１の走査信号線に前記第１の薄膜トランジスタをオン状態にする走査信号を供給し、前記データ信号側駆動ステップにより前記データ信号線に前記第１の画素電極に保持させる階調信号が供給されているときに前記第２の走査信号線に前記第２の薄膜トランジスタをオフ状態にする走査信号を供給するとともに前記第１の走査信号線に前記第１の薄膜トランジスタをオン状態にする走査信号を供給する走査側駆動ステップと、
を有し、
前記データ信号側駆動ステップは、前記第２の画素電極に保持させる階調信号を前記データ信号線に供給する期間よりも以前の期間に、液晶に印加される電圧の極性が前記第２の画素電極に保持させる階調信号と等しくなるように設定されている予備充電信号を前記データ信号線に供給し、
前記走査側駆動ステップは、前記データ信号側駆動ステップにより前記予備充電信号が前記データ信号線に供給されているときに、前記第２の走査信号線に前記第２の薄膜トランジスタをオン状態にする走査信号を供給するとともに前記第１の走査信号線に前記第１の薄膜トランジスタをオフ状態にする走査信号を供給することを特徴とする表示装置の駆動方法。
【手続補正２】
【補正対象書類名】明細書
【補正対象項目名】０００７
【補正方法】変更
【補正の内容】
【０００７】
上記の目的を達成するために、請求項１に記載の表示装置は、所定の方向に延伸配置された第１の走査信号線、第２の走査信号線及び第３の走査信号線と、前記第１の走査信号線、前記第２の走査信号線及び前記第３の走査信号線に対して交差するように配置されたデータ信号線と、ゲート電極が前記第１の走査信号線に接続されるとともに、ソース電極及びドレイン電極のうちの一方が前記データ信号線に接続された第１の薄膜トランジスタと、前記第１の薄膜トランジスタにおける前記ソース電極及び前記ドレイン電極のうちの他方に接続され、前記データ信号線に供給される階調信号が前記第１の薄膜トランジスタを介して印加される第１の画素電極と、ゲート電極が前記第２の走査信号線に接続されるとともに、ソース電極及びドレイン電極のうちの一方が前記第１の画素電極に接続された第２の薄膜トランジスタと、前記第２の薄膜トランジスタにおける前記ソース電極及び前記ドレイン電極のうちの他方に接続され、前記データ信号線に供給される階調信号が前記第１の画素電極を介して印加される第２の画素電極と、ゲート電極が前記第２の走査信号線に接続されるとともに、ソース電極及びドレイン電極のうちの一方が前記データ信号線に接続された第３の薄膜トランジスタと、前記第３の薄膜トランジスタにおける前記ソース電極及び前記ドレイン電極のうちの他方に接続され、前記データ信号線に供給される階調信号が前記第３の薄膜トランジスタを介して印加される第３の画素電極と、ゲート電極が前記第３の走査信号線に接続されるとともに、ソース電極及びドレイン電極のうちの一方が前記第３の画素電極に接続された第４の薄膜トランジスタと、前記第４の薄膜トランジスタにおける前記ソース電極及び前記ドレイン電極のうちの他方に接続され、前記データ信号線に供給される階調信号が前記第３の画素電極を介して印加される第４の画素電極と、前記第４の画素電極に保持させる階調信号、前記第２の画素電極に保持させる階調信号、前記第３の画素電極に保持させる階調信号、前記第１の画素電極に保持させる階調信号の順に、前記各階調信号を時分割的に前記データ信号線に供給する信号側駆動回路と、前記信号側駆動回路により前記データ信号線に前記第４の画素電極に保持させる階調信号が供給されているときに前記第２の走査信号線に前記第２の薄膜トランジスタ及び前記第３の薄膜トランジスタをオン状態にする走査信号を供給するとともに前記第３の走査信号線に前記第４の薄膜トランジスタをオン状態にする走査信号を供給し、前記信号側駆動回路により前記データ信号線に前記第３の画素電極に保持させる階調信号が供給されているときに前記第２の走査信号線に前記第２の薄膜トランジスタ及び前記第３の薄膜トランジスタをオン状態にする走査信号を供給するとともに前記第３の走査信号線に前記第４の薄膜トランジスタをオフ状態にする走査信号を供給する走査側駆動回路と、を備えたことを特徴とする。
【手続補正３】
【補正対象書類名】明細書
【補正対象項目名】０００８
【補正方法】変更
【補正の内容】
【０００８】
また、請求項２に記載の表示装置は、請求項１に記載の表示装置において、前記第２の画素電極と前記第３の画素電極が前記所定の方向に沿って隣接するように配置され、前記第１の画素電極と前記第３の画素電極が前記所定の方向に対して直交する方向に沿って隣接するように配置され、前記第２の画素電極と前記第４の画素電極が前記所定の方向に対して直交する方向に沿って隣接するように配置されていることを特徴とする。
また、請求項３に記載の表示装置は、請求項２に記載の表示装置において、前記第１の画素電極に保持させる階調信号、前記第２の画素電極に保持させる階調信号、前記第３の画素電極に保持させる階調信号及び前記第４の画素電極に保持させる階調信号は、所定のフレームにおいて液晶に印加される電圧の極性が、前記第１の画素電極に保持させる階調信号と前記第３の画素電極に保持させる階調信号との間で互いに等しくなるように、且つ、前記第２の画素電極に保持させる階調信号と前記第４の画素電極に保持させる階調信号との間で互いに等しくなるように、且つ、前記第２の画素電極に保持させる階調信号と前記第３の画素電極に保持させる階調信号との間で互いに異なるように、設定されていることを特徴とする。
また、請求項４に記載の表示装置は、請求項３に記載の表示装置において、前記走査側駆動回路は、前記信号側駆動回路により前記データ信号線に前記第４の画素電極に保持させる階調信号が供給され且つ該走査側駆動回路が前記第２の走査信号線に前記第２の薄膜トランジスタ及び前記第３の薄膜トランジスタをオン状態にする走査信号を供給しているときに、前記第１の走査信号線に前記第１の薄膜トランジスタをオン状態にする走査信号を供給することを特徴とする。
また、請求項５に記載の表示装置は、請求項４に記載の表示装置において、前記走査側駆動回路は、前記信号側駆動回路により前記データ信号線に前記第２の画素電極に保持させる階調信号が供給されているときに、前記第１の走査信号線に前記第１の薄膜トランジスタをオン状態にする走査信号を供給するとともに前記第２の走査信号線に前記第２の薄膜トランジスタ及び前記第３の薄膜トランジスタをオン状態にする走査信号を供給し、前記信号側駆動回路により前記データ信号線に前記第１の画素電極に保持させる階調信号が供給されているときに、前記第１の走査信号線に前記第１の薄膜トランジスタをオン状態にする走査信号を供給するとともに前記第２の走査信号線に前記第２の薄膜トランジスタ及び前記第３の薄膜トランジスタをオフ状態にする走査信号を供給することを特徴とする。
また、請求項６に記載の表示装置は、請求項２から５の何れかに記載の表示装置において、前記信号側駆動回路により前記データ信号線に供給される前記第４の画素電極に保持させる階調信号を前記第２の画素電極に予備充電することを特徴とする。
【手続補正４】
【補正対象書類名】明細書
【補正対象項目名】０００９
【補正方法】変更
【補正の内容】
【０００９】
また、請求項７に記載の表示装置は、請求項２に記載の表示装置において、前記第１の画素電極に保持させる階調信号、前記第２の画素電極に保持させる階調信号、前記第３の画素電極に保持させる階調信号及び前記第４の画素電極に保持させる階調信号は、所定のフレームにおいて液晶に印加される電圧の極性が、前記第１の画素電極に保持させる階調信号と前記第４の画素電極に保持させる階調信号との間で互いに等しくなるように、且つ、前記第２の画素電極に保持させる階調信号と前記第３の画素電極に保持させる階調信号との間で互いに等しくなるように、且つ、前記第１の画素電極に保持させる階調信号と前記第２の画素電極に保持させる階調信号との間で互いに異なるように、設定されていることを特徴とする。
また、請求項８に記載の表示装置は、請求項７に記載の表示装置において、前記データ信号線と交差するように配置された第４の走査信号線と、ゲート電極が前記第４の走査信号線に接続されるとともに、ソース電極及びドレイン電極のうちの一方が前記データ信号線に接続された第５の薄膜トランジスタと、前記第５の薄膜トランジスタにおける前記ソース電極及び前記ドレイン電極のうちの他方に接続され、前記データ信号線に供給される階調信号が前記第５の薄膜トランジスタを介して印加される第５の画素電極と、ゲート電極が前記第１の走査信号線に接続されるとともに、ソース電極及びドレイン電極のうちの一方が前記第５の画素電極に接続された第６の薄膜トランジスタと、前記第６の薄膜トランジスタにおける前記ソース電極及び前記ドレイン電極のうちの他方に接続され、前記データ信号線に供給される階調信号が前記第５の画素電極を介して印加される第６の画素電極と、ゲート電極が前記第３の走査信号線に接続されるとともに、ソース電極及びドレイン電極のうちの一方が前記データ信号線に接続された第７の薄膜トランジスタと、前記第７の薄膜トランジスタにおける前記ソース電極及び前記ドレイン電極のうちの他方に接続され、前記データ信号線に供給される階調信号が前記第７の薄膜トランジスタを介して印加される第７の画素電極と、をさらに備え、前記信号側駆動回路は、前記第４の画素電極に保持させる階調信号、前記第７の画素電極に保持させる階調信号、前記第２の画素電極に保持させる階調信号、前記第３の画素電極に保持させる階調信号、前記第６の画素電極に保持させる階調信号、前記第１の画素電極に保持させる階調信号、前記第５の画素電極に保持させる階調信号の順に、前記各階調信号を時分割的に前記データ信号線に供給することを特徴とする。
また、請求項９に記載の表示装置は、請求項８に記載の表示装置において、前記走査側駆動回路は、前記信号側駆動回路により前記データ信号線に前記第７の画素電極に保持させる階調信号が供給され且つ該走査側駆動回路が前記第３の走査信号線に前記第７の薄膜トランジスタ及び前記第４の薄膜トランジスタをオン状態にする走査信号を供給しているときに、前記第４の走査信号線に前記第５の薄膜トランジスタをオン状態にする走査信号を供給するとともに前記第１の走査信号線に前記第１の薄膜トランジスタ及び前記第６の薄膜トランジスタをオン状態にする走査信号を供給することを特徴とする。
また、請求項１０に記載の表示装置は、請求項８または９に記載の表示装置において、前記信号側駆動回路により前記データ信号線に供給される前記第７の画素電極に保持させる階調信号を前記第６の画素電極に予備充電することを特徴とする。
【手続補正５】
【補正対象書類名】明細書
【補正対象項目名】００１０
【補正方法】変更
【補正の内容】
【００１０】
また、請求項１１に記載の表示装置は、請求項２に記載の表示装置において、前記第１の画素電極に保持させる階調信号、前記第２の画素電極に保持させる階調信号、前記第３の画素電極に保持させる階調信号及び前記第４の画素電極に保持させる階調信号は、所定のフレームにおいて液晶に印加される電圧の極性が、前記第１の画素電極に保持させる階調信号と前記第２の画素電極に保持させる階調信号との間で互いに等しくなるように、且つ、前記第３の画素電極に保持させる階調信号と前記第４の画素電極に保持させる階調信号との間で互いに等しくなるように、且つ、前記第２の画素電極に保持させる階調信号と前記第３の画素電極に保持させる階調信号との間で互いに異なるように、設定されていることを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また、請求項１２に記載の表示装置は、請求項２から１１の何れかに記載の表示装置において、前記信号側駆動回路は、前記第２の画素電極に保持させる階調信号を前記データ信号線に供給する期間よりも以前の期間に、液晶に印加される電圧の極性が前記第２の画素電極に保持させる階調信号と等しくなるように設定されている予備充電信号を前記データ信号線に供給し、前記走査側駆動回路は、前記信号側駆動回路により前記予備充電信号が前記データ信号線に供給されているときに、前記第１の走査信号線に前記第１の薄膜トランジスタをオン状態にする走査信号を供給することを特徴とする。
また、請求項１３に記載の表示装置は、請求項１２に記載の表示装置において、前記走査側駆動回路は、前記信号側駆動回路により前記予備充電信号が前記データ信号線に供給されているときに、前記第２の走査信号線に前記第２の薄膜トランジスタをオン状態にする走査信号を供給することを特徴とする。
また、請求項１４に記載の表示装置は、請求項１２に記載の表示装置において、前記走査側駆動回路は、前記信号側駆動回路により前記予備充電信号の前記データ信号線への供給が終了した後に、前記第２の走査信号線に前記第２の薄膜トランジスタをオン状態にする走査信号を供給することを特徴とする。
【手続補正８】
【補正対象書類名】明細書
【補正対象項目名】００１３
【補正方法】変更
【補正の内容】
【００１３】
また、請求項１５に記載の表示装置は、所定の方向に延伸配置された第１の走査信号線及び第２の走査信号線と、前記第１の走査信号線及び前記第２の走査信号線に対して交差するように配置されたデータ信号線と、ゲート電極が前記第１の走査信号線に接続されるとともに、ソース電極及びドレイン電極のうちの一方が前記データ信号線に接続された第１の薄膜トランジスタと、前記第１の薄膜トランジスタにおける前記ソース電極及び前記ドレイン電極のうちの他方に接続され、前記データ信号線に供給される階調信号が前記第１の薄膜トランジスタを介して印加される第１の画素電極と、ゲート電極が前記第２の走査信号線に接続されるとともに、ソース電極及びドレイン電極のうちの一方が前記第１の画素電極に接続された第２の薄膜トランジスタと、前記第２の薄膜トランジスタにおける前記ソース電極及び前記ドレイン電極のうちの他方に接続され、前記データ信号線に供給される階調信号が前記第１の画素電極を介して印加される第２の画素電極と、前記第２の画素電極に保持させる階調信号、前記第１の画素電極に保持させる階調信号の順に、前記各階調信号を時分割的に前記データ信号線に供給する信号側駆動回路と、前記信号側駆動回路により前記データ信号線に前記第２の画素電極に保持させる階調信号が供給されているときに前記第２の走査信号線に前記第２の薄膜トランジスタをオン状態にする走査信号を供給するとともに前記第１の走査信号線に前記第１の薄膜トランジスタをオン状態にする走査信号を供給し、前記信号側駆動回路により前記データ信号線に前記第１の画素電極に保持させる階調信号が供給されているときに前記第２の走査信号線に前記第２の薄膜トランジスタをオフ状態にする走査信号を供給するとともに前記第１の走査信号線に前記第１の薄膜トランジスタをオン状態にする走査信号を供給する走査側駆動回路と、を備え、前記信号側駆動回路は、前記第２の画素電極に保持させる階調信号を前記データ信号線に供給する期間よりも以前の期間に、液晶に印加される電圧の極性が前記第２の画素電極に保持させる階調信号と等しくなるように設定されている予備充電信号を前記データ信号線に供給し、前記走査側駆動回路は、前記信号側駆動回路により前記予備充電信号が前記データ信号線に供給されているときに、前記第１の走査信号線に前記第１の薄膜トランジスタをオン状態にする走査信号を供給することを特徴とする。
【手続補正９】
【補正対象書類名】明細書
【補正対象項目名】００１４
【補正方法】変更
【補正の内容】
【００１４】
また、請求項１６に記載の表示装置の駆動方法は、所定の方向に延伸配置された第１の走査信号線、第２の走査信号線及び第３の走査信号線と、前記第１の走査信号線、前記第２の走査信号線及び前記第３の走査信号線に対して交差するように配置されたデータ信号線と、ゲート電極が前記第１の走査信号線に接続されるとともに、ソース電極及びドレイン電極のうちの一方が前記データ信号線に接続された第１の薄膜トランジスタと、前記第１の薄膜トランジスタにおける前記ソース電極及び前記ドレイン電極のうちの他方に接続され、前記データ信号線に供給される階調信号が前記第１の薄膜トランジスタを介して印加される第１の画素電極と、ゲート電極が前記第２の走査信号線に接続されるとともに、ソース電極及びドレイン電極のうちの一方が前記第１の画素電極に接続された第２の薄膜トランジスタと、前記第２の薄膜トランジスタにおける前記ソース電極及び前記ドレイン電極のうちの他方に接続され、前記データ信号線に供給される階調信号が前記第１の画素電極を介して印加される第２の画素電極と、ゲート電極が前記第２の走査信号線に接続されるとともに、ソース電極及びドレイン電極のうちの一方が前記データ信号線に接続された第３の薄膜トランジスタと、前記第３の薄膜トランジスタにおける前記ソース電極及び前記ドレイン電極のうちの他方に接続され、前記データ信号線に供給される階調信号が前記第３の薄膜トランジスタを介して印加される第３の画素電極と、ゲート電極が前記第３の走査信号線に接続されるとともに、ソース電極及びドレイン電極のうちの一方が前記第３の画素電極に接続された第４の薄膜トランジスタと、前記第４の薄膜トランジスタにおける前記ソース電極及び前記ドレイン電極のうちの他方に接続され、前記データ信号線に供給される階調信号が前記第３の画素電極を介して印加される第４の画素電極と、を備えた表示装置の駆動方法であって、前記第４の画素電極に保持させる階調信号、前記第２の画素電極に保持させる階調信号、前記第３の画素電極に保持させる階調信号、前記第１の画素電極に保持させる階調信号の順に、前記各階調信号を時分割的に前記データ信号線に供給するデータ信号側駆動ステップと、前記データ信号側駆動ステップにより前記データ信号線に前記第４の画素電極に保持させる階調信号が供給されているときに前記第２の走査信号線に前記第２の薄膜トランジスタ及び前記第３の薄膜トランジスタをオン状態にする走査信号を供給するとともに前記第３の走査信号線に前記第４の薄膜トランジスタをオン状態にする走査信号を供給し、前記データ信号側駆動ステップにより前記データ信号線に前記第３の画素電極に保持させる階調信号が供給されているときに前記第２の走査信号線に前記第２の薄膜トランジスタ及び前記第３の薄膜トランジスタをオン状態にする走査信号を供給するとともに前記第３の走査信号線に前記第４の薄膜トランジスタをオフ状態にする走査信号を供給する走査側駆動ステップと、を有することを特徴とする。
【手続補正１０】
【補正対象書類名】明細書
【補正対象項目名】００１５
【補正方法】変更
【補正の内容】
【００１５】
また、請求項１７に記載の表示装置の駆動方法は、所定の方向に延伸配置された第１の走査信号線及び第２の走査信号線と、前記第１の走査信号線及び前記第２の走査信号線に対して交差するように配置されたデータ信号線と、ゲート電極が前記第１の走査信号線に接続されるとともに、ソース電極及びドレイン電極のうちの一方が前記データ信号線に接続された第１の薄膜トランジスタと、前記第１の薄膜トランジスタにおける前記ソース電極及び前記ドレイン電極のうちの他方に接続され、前記データ信号線に供給される階調信号が前記第１の薄膜トランジスタを介して印加される第１の画素電極と、ゲート電極が前記第２の走査信号線に接続されるとともに、ソース電極及びドレイン電極のうちの一方が前記第１の画素電極に接続された第２の薄膜トランジスタと、前記第２の薄膜トランジスタにおける前記ソース電極及び前記ドレイン電極のうちの他方に接続され、前記データ信号線に供給される階調信号が前記第１の画素電極を介して印加される第２の画素電極と、を備えた表示装置の駆動方法であって、前記第２の画素電極に保持させる階調信号、前記第１の画素電極に保持させる階調信号の順に、前記各階調信号を時分割的に前記データ信号線に供給するデータ信号側駆動ステップと、前記データ信号側駆動ステップにより前記データ信号線に前記第２の画素電極に保持させる階調信号が供給されているときに前記第２の走査信号線に前記第２の薄膜トランジスタをオン状態にする走査信号を供給するとともに前記第１の走査信号線に前記第１の薄膜トランジスタをオン状態にする走査信号を供給し、前記データ信号側駆動ステップにより前記データ信号線に前記第１の画素電極に保持させる階調信号が供給されているときに前記第２の走査信号線に前記第２の薄膜トランジスタをオフ状態にする走査信号を供給するとともに前記第１の走査信号線に前記第１の薄膜トランジスタをオン状態にする走査信号を供給する走査側駆動ステップと、を有し、前記データ信号側駆動ステップは、前記第２の画素電極に保持させる階調信号を前記データ信号線に供給する期間よりも以前の期間に、液晶に印加される電圧の極性が前記第２の画素電極に保持させる階調信号と等しくなるように設定されている予備充電信号を前記データ信号線に供給し、前記走査側駆動ステップは、前記データ信号側駆動ステップにより前記予備充電信号が前記データ信号線に供給されているときに、前記第２の走査信号線に前記第２の薄膜トランジスタをオン状態にする走査信号を供給するとともに前記第１の走査信号線に前記第１の薄膜トランジスタをオフ状態にする走査信号を供給することを特徴とする。